(57)【要約】【課題】出力する各パケットの送信時間間隔を常に一定値に制御する。【解決手段】順次入力される一連の情報を構成する複数のパケットにおける各パケット８を時系列的に順次記憶していくパケットバッファ１６と、パケットバッファに時系列的に記憶された各パケット８を、指定された送信時間間隔でかつ記憶された順に順次読出して外部へ出力するバッファ制御部１３と、予め定められた測定期間ＴＡに入力されたパケットの数を計数するパケット数カウンタ１４と、このパケット数カウンタの計数値ＮＡと測定期間とから、測定期間におけるパケットの平均送信時間間隔ＴＭを算出する平均時間算出部１９と、平均時間算出部で算出された平均送信時間間隔を新たに送信時間間隔としバッファ制御部１３へ指定する送信時間間隔設定部２０とを備えている。【選択図】    図４
2005020072.tif 000002
【特許請求の範囲】
【請求項１】
順次入力される一連の情報を構成する複数のパケットにおける各パケットを時系列的に順次記憶していくパケットバッファ（１６）と、
このパケットバッファに時系列的に記憶された各パケットを、指定された送信時間間隔でかつ記憶された順に順次読出して外部へ出力するバッファ制御部（１３）と、
予め定められた測定期間に入力された前記パケットの数を計数するパケット数カウンタ（１４）と、
このパケット数カウンタの計数値と前記測定期間とから、前記測定期間におけるパケットの平均送信時間間隔を算出する平均時間算出部（１９）と、
この平均時間算出部で算出された平均送信時間間隔を新たに送信時間間隔とし前記バッファ制御部へ指定する送信時間間隔設定部（２０）と
を備えたパケットジッタ解消装置。
【請求項２】
順次入力される各パケットにおけるジッタ解消対象のパケットを指定するパケット識別部（１２）と、
このパケット識別部でジッタ解消対象と指定された各パケットを時系列的に順次記憶していくパケットバッファ（１６）と、
このパケットバッファに時系列的に記憶された各パケットを、指定された送信時間間隔でかつ記憶された順に順次読出して出力するバッファ制御部（１３）と、
このバッファ制御部から出力されたジッタ解消済みの各パケットと前記パケット識別部でジッタ解消対象と指定されなかった各パケットとを混合して外部へ出力する信号混合部（１５）と、
前記パケット識別部でジッタ解消対象と指定された各パケットのうち予め定められた測定期間に入力されたパケットの数を計数するパケット数カウンタ（１４）と、
このパケット数カウンタの計数値と前記測定期間とから、前記測定期間におけるパケットの平均送信時間間隔を算出する平均時間算出部（１９）と、
この平均時間算出部で算出された平均送信時間間隔を新たに送信時間間隔とし前記バッファ制御部へ指定する送信時間間隔設定部（２０）と
を備えたパケットジッタ解消装置。
【請求項３】
前記パケット識別部は、順次入力される各パケットのフレーム内に外部から指定された情報を含むパケットをジッタ解消対象のパケットと指定することを特徴とする請求項２記載のパケットジッタ解消装置。
【発明の詳細な説明】
【０００１】
【発明の属する技術分野】
本発明は、情報送信側から一連の情報を複数のパケットに分割してネットワークを介して情報受信側へ送信する伝送システムに係わり、特に、情報受信側へ入力される各パケットのジッタを解消するパケットジッタ解消装置に関する。
【０００２】
【従来の技術】
静止画像や動画像や音楽等の大容量の連続する一連の情報を高速で遠距離を伝送する場合は、図７の伝送システムに示すように、情報の発信源である情報送信装置１で、この大容量の一連の情報を複数のパケットに分割して送信信号ａとして信号路２を介してネットワーク４に接続された送信側中継装置３へ送出する。送信側中継装置３は、信号路２を介して順次入力される送信信号ａに含まれる各パケットをネットワーク４を介して目的の受信側中継装置５へ送信する。
【０００３】
受信側中継装置５はネットワーク４を経由した各パケットを受信して受信信号ｂに合成して、一つの信号路６に出力する。情報受信装置７は信号路６から順次入力される受信信号ｂに含まれる各パケットを連続する一連の情報に変換して情報処理して、例えば表示画面に表示する。
【０００４】
図８は情報送信装置１から送信側中継装置３へ出力される送信信号ａ、及び受信側中継装置６から情報受信装置７へ出力される受信信号ｂを示す図である。送信信号ａには、前述した一連の情報を構成する可変のパケット長Ｔ１を有する複数のパケット８が、相互にギャップ時間Ｔ２を有して、一定の送信時間間隔Ｔ０で含まれる。
【０００５】
送信側中継装置３からネットワーク４へ送出された送信信号ａに含まれる各パケット８は、ネットワーク４内の同一経路を経由することなく、一般に、複数の経路を経由して、受信側中継装置５へ入力されることが多い。
【０００６】
ネットワーク４を構成する各経路は同一経路長ではなく、かつ各経路には、この各経路にアクセスするための複数の送受信装置、スイッチ、ルータが介挿されている。したがって、各経路のパケット８の伝送時間は、経路毎に異なる。さらに、各経路における単位時間当たりの伝送すべきパケット数で示される伝送負荷が時間経過に伴って変動するので、各経路のパケット８の伝送時間は時間によって異なる。
【０００７】
その結果、受信側中継装置５でネットワーク４の各経路を経由した各パケット８を受信して合成して受信信号ｂとして信号路６に出力した場合に、図８の下段に示すように、各パケット８の送信時間間隔Ｔ０が大きく変動する懸念がある。各パケット８の送信時間間隔Ｔ０が変動すると、すなわち、各パケット８の送信時間間隔Ｔ０にジッタが発生すると、時間的に隣接するパケット８相互間のギャップ時間Ｔ２が変動する。
【０００８】
情報受信装置７において、受信信号ｂにおけるパケット８相互間のギャップ時間Ｔ２が一定の許容範囲を外れた場合には、順次入力される各パケット８を連続する一連の情報に正常に変換できない事態が発生する懸念がある。
【０００９】
なお、特許文献１には、多重に構成されたループネットワークシステムにおいて、この多重のループネットワークに接続された通信処理装置相互間で通信を行う場合に、パケットを一定長のセルに分割して、各ループネットワークに分散して出力する技術が開示されている。そして、この特許文献１においては、送信側の通信処理装置において、各セルを、順番情報を付して各ループネットワークに送信する。受信側の通信処理装置において、各ループネットワークを介して受信した各セルを順番情報に従ってパケットに再生する。
【００１０】
【特許文献１】
特開平５−２０７０４１号公報
【００１１】
【発明が解決しようとする課題】
しかしながら、特許文献１に記載された技術においては、各セルの受信側の通信処理装置に対する時刻が、受信順序が変更になるほど大きく変化した場合には、正しい順序に直されるが、各セルをパケットに再生する場合の条件等については何ら開示されていない。
【００１２】
したがって、特許文献１に記載された技術においては、パケット８相互間のギャップ時間Ｔ２が一定の許容範囲を外れた場合には、情報受信装置７において、順次入力される受信信号に含まれる各パケット８を連続する一連の情報に正常に変換できない事態が発生する懸念は解消されない。
【００１３】
本発明はこのような事情に鑑みてなされたものであり、順次入力されるパケットの測定時間におけるパケット数を測定することによって、たとえ入力された各パケットの送信時間間隔に大きなジッタが存在したとしても、出力される各パケットの送信時間間隔が常に一定値に制御され、この複数のパケットから一連の情報に正常に変換できるパケットジッタ解消装置を提供することを目的とする。
【００１４】
【課題を解決するための手段】
上記課題を解消するために、本発明のパケットジッタ解消装置においては、順次入力される一連の情報を構成する複数のパケットにおける各パケットを時系列的に順次記憶していくパケットバッファと、このパケットバッファに時系列的に記憶された各パケットを、指定された送信時間間隔でかつ記憶された順に順次読出して外部へ出力するバッファ制御部と、予め定められた測定期間に入力されたパケットの数を計数するパケット数カウンタと、このパケット数カウンタの計数値と測定期間とから、測定期間におけるパケットの平均送信時間間隔を算出する平均時間算出部と、この平均時間算出部で算出された平均送信時間間隔を新たに送信時間間隔としバッファ制御部へ指定する送信時間間隔設定部とを備えている。
【００１５】
このように構成されたパケットジッタ解消装置においては、このパケットジッタ解消装置に順次入力される各パケットは、一旦、パケットバッファに記憶される。
このパケットジッタ解消装置から出力される各パケットの送信時間間隔の変動（ジッタ）を抑制又は解消するためには、パケットバッファに時系列的に記憶された各パケットを一定の送信時間間隔で記憶された順番に読出して出力すればよい。
【００１６】
そして、ジッタを含む送信時間間隔で順次入力されるパケットの予め定められた測定期間におけるパケット数を計数して、この計数値と測定期間とで、順次入力される各パケットの平均送信時間間隔を算出する。そして、この平均送信時間間隔を、パケットバッファから各パケットを読出すべき一定の送信時間間隔としている。
【００１７】
また、別の発明のパケットジッタ解消装置においては、順次入力される各パケットにおけるジッタ解消対象のパケットを指定するパケット識別部と、このパケット識別部でジッタ解消対象と指定された各パケットを時系列的に順次記憶していくパケットバッファと、このパケットバッファに時系列的に記憶された各パケットを、指定された送信時間間隔でかつ記憶された順に順次読出して出力するバッファ制御部と、このバッファ制御部から出力されたジッタ解消済みの各パケットとパケット識別部でジッタ解消対象と指定されなかった各パケットとを混合して外部へ出力する信号混合部と、パケット識別部でジッタ解消対象と指定された各パケットのうち予め定められた測定期間に入力されたパケットの数を計数するパケット数カウンタと、このパケット数カウンタの計数値と測定期間とから、測定期間におけるパケットの平均送信時間間隔を算出する平均時間算出部と、この平均時間算出部で算出された平均送信時間間隔を新たに送信時間間隔としバッファ制御部へ指定する送信時間間隔設定部とを備えている。
【００１８】
このように構成されたパケットジッタ解消装置に入力される各パケットには、静止画像や動画像や音楽等の大容量の連続する一連の情報を構成するパケットのようにジッタ解消すべきパケットの他に、多少のジッタが存在しても一連の情報に変換するに際してさほど影響を及ぼさない一般のパケットが含まれる。
【００１９】
そして、パケット識別部で、順次入力される各パケットからジッタ解消対象のパケットを指定して、このジッタ解消対象のパケットに対してのみ、パケットバッファに一旦記憶し、ジッタ解消対象のパケットのみで算出された送信時間間隔でパケットバッファから読出される。
【００２０】
そして、このジッタ解消済みの各パケットとパケット識別部でジッタ解消対象と指定されなかった各パケットとが混合されて外部へ出力される。
【００２１】
さらに別の発明は、上記発明のパケットジッタ解消装置において、パケット識別部は、順次入力される各パケットのフレーム内に外部から指定された情報を含むパケットをジッタ解消対象のパケットと指定する。
【００２２】
【発明の実施の形態】
以下、本発明の一実施形態を図面を用いて説明する。
図１は本発明の一実施形態に係るパケットジッタ解消装置が組込まれた伝送システムの概略構成を示す模式図である。図７に示す従来の伝送システムと同一部分には同一符号を付して、重複する部分の詳細説明を省略する。
【００２３】
この伝送システムにおいては、ネットワーク７の受信側中継装置５と情報受信装置７との間に、本発明の一実施形態のパケットジッタ解消装置１０が介挿されている。
【００２４】
情報の発信源である情報送信装置１は、静止画像や動画像や音楽等の大容量の一連の情報を複数のパケット８に分割して送信信号ａとして信号路２を介してネットワーク４に接続された送信側中継装置３へ送出する。送信側中継装置３は、信号路２を介して順次入力される送信信号ａに含まれる各パケット８をネットワーク４を介して目的の受信側中継装置５へ送信する。受信側中継装置５は、ネットワーク４を経由した各パケットを受信して受信信号ｂ１に合成して一つの信号路６を介してパケットジッタ解消装置１０へ送出する。
【００２５】
図２は情報送信装置１から送信側中継装置３へ出力される送信信号ａ、及び受信側中継装置６からパケットジッタ解消装置１０へ出力される受信信号ｂ１を示す図である。送信信号ａには、前述した一連の情報を構成する一定のパケット長Ｔ１を有する複数のパケット８が、相互にギャップ時間Ｔ２を有して、一定の送信時間間隔Ｔ０で含まれる。
【００２６】
一方、受信側中継装置５からパケットジッタ解消装置１０へ出力される受信信号ｂ１には、送信側中継装置３からネットワーク４の各経路を経由した情報送信装置１からの送信信号ａに含まれる各パケット８の他に、他の情報送信装置からネットワーク４を介して受信した同一情報受信装置７宛の他の複数種類のパケット８ａが含まれる。
【００２７】
送信信号ａに含まれる各パケット８及び他のパケット８ａは、ネットワーク４の各経路を経由するので、この受信信号ｂ１における各パケット８及び他のパケット８ａの送信時間間隔が大きく変動し、すなわち、各パケット８及び他のパケット８ａの送信時間間隔にジッタが発生し、時間的に隣接するパケット８相互間及び他のパケット８ａ相互間のギャップ時間が変動している。
【００２８】
各パケット８、８ａは例えば図３（ａ）（ｂ）に示すフレーム構成を有する。図３（ａ）は、基本的なパケット８、８ａのフレームである。このパケット８、８ａのフレームには、送信先と送信元の各ＭＡＣアドレス、送信先と送信元の各ＩＰアドレス、及び送信データが組込まれている。
【００２９】
図３（ｂ）は、複数のパケットを送信する場合のパケットの送信順序が組込まれたパケット８、８ａのフレームである。このパケット８、８ａのフレームには、送信先と送信元の各ＭＡＣアドレス、送信先と送信元の各ＩＰアドレス、送信順序としてのＲＴＰ（リアルタイム・トランスポート・プロトコル）シーケンス番号、及び送信データが組込まれている。
【００３０】
パケットジッタ解消装置１０は、受信側中継装置５から信号路６を介して入力された受信信号ｂ１に含まれる各パケット８、８ａのうちジッタ解消対象と指定されたパケット８の送信時間間隔の変動（ジッタ）を解消して、このジッタ解消済みの各パケット８と、ジッタ解消対象と指定されなかった各パケット８ａとを混合して、新たな受信信号ｇとして、信号路９を介して情報受信装置７へ送信する。
【００３１】
情報受信装置７は、受信した受信信号ｇに含まれるジッタ解消済みの各パケット８を抽出して、この抽出した各パケット８を連続する一連の情報に変換して情報処理して、例えば表示画面に表示する。さらに、情報受信装置７は、受信した受信信号ｇに含まれるジッタ解消されていない各パケット８ａを抽出して、この抽出した各パケット８ａから情報（送信データ）を取出して、所定の処理を実施する。
【００３２】
図４は、例えばコンピュータで構成されたパケットジッタ解消装置１０の概略構成を示すブロック図である。
ネットワーク４の受信側中継装置５から信号路６を介してこのパケットジッタ解消装置１０へ順次入力される、図５に示す、受信信号ｂ１に含まれる各パケット８、８ａはＩ／Ｆ（インタフェース）１１を介してパケット識別部１２へ入力する。パケット識別部１２は、入力された各パケット８、８ａの図３（ａ）（ｄ）に示すフレームを調べ、このフレームに含まれる送信先と送信元の各ＭＡＣアドレス又は送信先と送信元の各ＩＰアドレス等の情報から、該当パケット８、８ａがジッタ解消対象のパケットであるか否かを判定する。
【００３３】
具体的には、パケット識別部１２は、予め操作者が操作部１８を介して指定されたＭＡＣアドレス又はＩＰアドレスに該当するパケットをジッタ解消対象のパケットと指定する。この実施形態においては、パケット識別部１２は、情報送信装置１から出力された送信信号ａに含まれる各パケット８をジッタ解消対象のパケットと指定している。
【００３４】
パケット識別部１２は、受信信号ｂ１からジッタ解消対象のパケット８のみを抽出して、ジッタ解消対象のパケット８のみを含む図５に示す信号ｃをバッファ制御部１３及びパケット数カウンタ１４へ送出する。さらに、パケット識別部１２は、受信信号ｂ１からジッタ解消対象と指定されていないパケット８ａのみを抽出して、ジッタ解消対象と指定されていないパケット８ａのみを含む図５に示す信号ｄを信号混合部１５へ送出する。
【００３５】
バッファ制御部１３は、パケット識別部１２から順次入力される信号ｃに含まれるジッタ解消対象の各パケット８をパケットバッファ１６に時系列的に順次書込んでいく。このパケットバッファ１６は、例えば、デュアルポートメモリで構成されており、バッファ制御部１３にて、読出しと書込みとを同時に実施可能である。
【００３６】
パケット数カウンタ１４は、パケット識別部１２から図５に示す信号ｃに含まれる先頭のパケット８の入力時刻ｔ０から測定期間設定部１７にて設定された測定期間ＴＡに入力されたパケット８の数を計数して、計数値ＮＡを次の平均時間算出部１９へ送出する。
【００３７】
測定期間設定部１７が設定する測定期間ＴＡは、操作者が操作部１８を介して任意の長さに設定可能である。操作者は、ジッタ解消対象と指定したパケット８が構成する静止画像や動画像や音楽等の大容量の一連の情報の種類や使用方法に応じて測定期間ＴＡを変更する。映画等の長時間鑑賞する情報においては、測定期間ＴＡを１〜数秒間に設定し、会話等の音声においては、測定期間ＴＡを１０〜３０ｍｓに設定することが望ましい。
【００３８】
平均時間算出部１９は、測定期間ＴＡを入力されたパケット８の計数値ＮＡで除算することにより、信号ｃに含まれるジッタ解消対象の各パケット８の測定期間ＴＡにおける平均送信時間間隔ＴＭを算出して、次の送信時間間隔設定部２０へ送出する。
【００３９】
ＴＭ＝ＴＡ／ＮＡ
送信時間間隔設定部２０は、先頭のパケット８の入力時刻ｔ０から測定期間ＴＡと平均送信時間間隔ＴＭの算出時間ＴＢとを加算したデータ処理時間ＴＣ（＝ＴＡ＋ＴＢ）経過した時刻ｔ２にて、入力された平均送信時間間隔ＴＭを新たに送信時間間隔ＴＭとして、バッファ制御部１３へ指定する。
【００４０】
なお、送信時間間隔設定部２０は、操作者にて操作部１８を介して個別の送信時間間隔ＴＤがマニュアル指定された場合においては、平均送信時間間隔ＴＭの代わりに、この送信時間間隔ＴＤを、新たに送信時間間隔ＴＤとして、バッファ制御部１３へ指定する。
【００４１】
情報送信装置１から出力される図２に示す送信信号ａのパケット相互間のギャップ時間Ｔ２が元々過度に短くて、このままでは、情報受信装置７において、この各パケット８を連続する一連の情報に正確に変換できない場合が想定される。この場合、操作者は、操作部１８を介して、測定された平均送信時間間隔ＴＭより長い送信時間間隔ＴＤを送信時間間隔設定部２０に設定することによって、情報受信装置７に入力される受信信号ｇにおけるパケット相互間のギャップ時間を故意に長くできる。
【００４２】
先頭のパケット８の入力時刻ｔ０からデータ処理時間ＴＣ経過した時刻ｔ２にて、送信時間間隔設定部２０から送信時間間隔ＴＭが指定されたバッファ制御部１３は、時刻ｔ２以降に、パケットバッファ１６に時系列的に記憶されたジッタ解消対象と指定された信号ｃの各パケット８を、指定された送信時間間隔ＴＭでかつ記憶された順に順次読出して、図５に示すジッタ解消済み信号ｅとして、次の信号混合部１５へ送出する。
【００４３】
平均送信時間間隔ＴＭは、図２に示す情報送信装置１の送信信号ａに含まれる各パケット８の送信時間間隔Ｔ０にほぼ一致するので、ジッタ解消済み信号ｅにおける各パケット８の送信時間間隔ＴＭ、パケット相互間のギャップ時間は、情報送信装置１の送信信号ａに含まれる各パケット８の送信時間間隔Ｔ０、パケット相互間のギャップ時間Ｔ２にほぼ一致する。
【００４４】
信号混合部１５は、バッファ制御部１３から入力されたジッタ解消済み信号ｅの各パケット８と、パケット識別部１２から入力された信号ｄのジッタ解消対象と指定されていない各パケット８ａを混合して、図５及び図６に示す新たな受信信号ｇとして、Ｉ／Ｆ（インタフェース）２１を介してこのパケットジッタ解消装置１０の外へ出力する。
【００４５】
なお、信号混合部１５は、各パケット８、８ａを混合するに際して、パケット８、８ａどうしが重複する場合は、図６の受信信号ｇに示すように、ジッタ解消済みの各パケット８を優先して、ジッタ解消対象と指定されていない各パケット８ａを、ジッタ解消済みの各パケット８の間に挿入する。
【００４６】
パケットジッタ解消装置１０から出力された受信信号ｇは、信号路９を介して情報受信装置７へ入力される。情報受信装置７は、先頭のパケット８の入力時刻ｔ０からデータ処理時間ＴＣ経過した時刻ｔ２以降に、図６に示すように、受信した受信信号ｇに含まれるジッタ解消済みの各パケット８を抽出して、この抽出した各パケット８を連続する一連の情報に変換して情報処理して、例えば表示画面に表示する。
【００４７】
すなわち、図５に示すように、情報受信装置７は、受信信号ｂ１のジッタ解消対象の先頭のパケット８の入力時刻ｔ０からデータ処理時間ＴＣ経過した時刻ｔ２以降、ジッタ解消対象の最後のパケット８の入力時刻ｔ３からデータ処理時間ＴＣ経過した時刻ｔ４までの期間で、受信信号ｇに含まれるジッタ解消済みの各パケット８に対する情報処理を実施する。
【００４８】
このように構成された実施形態のパケットジッタ解消装置１０においては、このパケットジッタ解消装置１０に順次入力される各パケット８、８ａは、パケット識別部１２でジッタ解消対象と指定されたパケット８と、ジッタ解消対象と指定されないパケット８ａとに分割され、ジッタ解消対象と指定された各パケット８は、一旦、バッファ制御部１３を介してパケットバッファ１６に時系列的に記憶される。
【００４９】
バッファ制御部１３において、ジッタ解消対象のパケット８のみで算出された平均送信時間間隔ＴＭからなる送信時間間隔ＴＭでパケットバッファ１６から、ジッタ解消対象と指定された各パケット８が、記憶された順にジッタ解消済みの各パケット８として読出される。そして、信号混合部１５において、このジッタ解消済みの各パケット８とパケット識別部１２でジッタ解消対象と指定されなかった各パケット８ａとが混合されて新たな受信信号ｇとして、このパケットジッタ解消装置１０から信吾路９を介して情報受信装置７へ出力される。
【００５０】
したがって、この受信信号ｇを受信した情報受信装置７は、この受信信号ｇに含まれるジッタ解消済みの各パケット８を抽出して、この抽出した各パケット８を連続する一連の情報に正確に変換して情報処理して、例えば表示画面に表示することが可能となる。
【００５１】
なお、本発明は上述した実施形態に限定されるものではない。
実施形態のパケットジッタ解消装置１０においては、パケット識別部１２を設けて、このパケットジッタ解消装置１０に受信ノード５から入力された受信信号ｂ１に含まれる各パケット８、８ａをジッタ解消対象と指定された各パケット８と、ジッタ解消対象と指定されない各パケット８ａとに分類した。
【００５２】
しかしながら、パケットジッタ解消装置１０に受信ノード５から入力された受信信号ｂ１に含まれる全てのパケット８、８ａをジッタ解消対象と指定されたパケットとみなして、全てのパケット８、８ａをパケットバッファ１６に一旦記憶して、全てのパケット８、８ａに対してジッタ解消処理を実施することが可能である。この場合、パケット識別部１２及び信号混合部１５は不要である。
【００５３】
さらに、パケットジッタ解消装置１０に受信ノード５から入力された受信信号ｂ１にジッタ解消対象と指定された１種類のパケット８のみしか含まれない場合においても、パケット識別部１２及び信号混合部１５は不要である。
【００５４】
【発明の効果】
以上説明したように、本発明のパケットジッタ解消装置においては、順次入力されるパケットを一旦パケットバッファに記憶し、このパケットバッファから、入力パケットの平均送信時間間隔で、各パケットを順番に読出している。
【００５５】
したがって、たとえ入力された各パケットの送信時間間隔に大きなジッタが存在したとしても、出力される各パケットの送信時間間隔が常に一定値に制御され、この複数のパケットから一連の情報に正常に変換できる。
【図面の簡単な説明】
【図１】本発明の一実施形態のパケットジッタ解消装置が組込まれた伝送システムの概略構成を示す模式図
【図２】同伝送システムにおける送信信号及び受信信号に含まれる各パケットを示す図
【図３】同伝送システムにおける各信号に含まれる各パケットのフレーム構成を示す図
【図４】同実施形態のパケットジッタ解消装置の概略構成を示すブロック図
【図５】同実施形態のパケットジッタ解消装置の動作を示すタイムチャート
【図６】同実施形態のパケットジッタ解消装置から情報受信装置へ送出される受信信号を示す図
【図７】従来の伝送システムの概略構成を示す模式図
【図８】同従来の伝送システムにおける送信信号及び受信信号に含まれる各パケットを示す図
【符号の説明】
１…情報送信装置、２，６，９…信号路、３…送信側中継装置、４…ネットワーク、５…受信側中継装置、７…情報受信装置、８，８ａ…パケット、１０…パケットジッタ解消装置、１１，２１…Ｉ／Ｆ（インタフェース）、１２…パケット識別部、１３…バッファ制御部、１４…パケット数カウンタ、１５…信号混合部、１６…パケットバッファ、１７…測定期間設定部、１８…操作部、１９…平均時間算出部、２０…送信時間間隔設定部
【図１】
2005020072.tif 000003
【図２】
2005020072.tif 000004
【図３】
2005020072.tif 000005
【図４】
2005020072.tif 000006
【図５】
2005020072.tif 000007
【図６】
2005020072.tif 000008
【図７】
2005020072.tif 000009
【図８】
2005020072.tif 000010